(57)【要約】      （修正有）【課題】記録媒体のサイズを揃えつつ、不要領域の複写を回避可能な画像形成装置を提供する。【解決手段】画像形成装置では、画像読取部が原稿を読み取って画像データを生成し、画像記録部が画像データに基づく画像を記録媒体に記録することにより、原稿から記録媒体への複写を行う。画像形成装置では、冊子原稿の見開き部分から記録媒体への複写を行う場合、非複写ページ指定ボタンにより見開き部分の２ページのいずれかを非複写ページに設定することができる。見開き部分ＳＰ１及びＳＰ３のように、非複写ページＰＵが設定された場合、記録媒体ＲＭ１及びＲＭ３として、記録媒体ＲＭ２と同じサイズの記録媒体が使用される。そして、見開き部分ＳＰ１及びＳＰ３を複写した記録媒体ＲＭ１及びＲＭ３に記録される画像においては、非複写ページＰＵに対応する領域ＲＵが全白でマスクされる。【選択図】図２
2006332817.tif 000002
【特許請求の範囲】
【請求項１】
原稿から記録媒体への複写を行う画像形成装置であって、
前記原稿を読み取り、前記原稿の画像データを生成する読取手段と、
前記画像データに基づく画像を前記記録媒体へ視認可能に記録する記録手段と、
複写の対象とならない非複写領域を前記原稿に設定させるための設定手段と、
を備え、
前記設定手段により非複写領域が設定された場合、
前記記録媒体として、前記設定手段により非複写領域が設定されない場合と同じサイズのものを使用し、
前記記録媒体に視認可能に記録される画像において、非複写領域に対応する領域をマスクするマスク処理を行うことを特徴とする画像形成装置。
【請求項２】
請求項１に記載の画像形成装置において、
前記原稿が冊子原稿であり、
前記設定手段による非複写領域の設定が、冊子原稿の見開き部分の２ページのいずれかを複写の対象とならない非複写ページに設定することにより行われることを特徴とする画像形成装置。
【請求項３】
請求項１又は請求項２に記載の画像形成装置において、
複写ごとに非複写領域を設定可能であることを特徴とする画像形成装置。
【請求項４】
請求項１ないし請求項３のいずれかに記載の画像形成装置において、
前記読取手段が生成する画像データにおいて、非複写領域に対応する領域を白データとすることにより前記マスク処理を行うことを特徴とする画像形成装置。
【請求項５】
請求項１ないし請求項３のいずれかに記載の画像形成装置において、
前記読取手段が生成した画像データを一時的に記憶する記憶手段をさらに備え、
前記記憶手段に記憶された画像データにおいて、非複写領域に対応する部分を白データとすることにより前記マスク処理を行うことを特徴とする画像形成装置。
【請求項６】
請求項１ないし請求項３のいずれかに記載の画像形成装置において、
前記記録手段による記録において、非複写領域に対応する領域に画像を記録しないことにより前記マスク処理を行うことを特徴とする画像形成装置。
【発明の詳細な説明】
【技術分野】
【０００１】
本発明は、原稿から記録媒体への複写を行う画像形成装置に関する。
【背景技術】
【０００２】
従来、ＭＦＰ（Multi Function Peripherals）等の画像形成装置を用いて冊子原稿から記録媒体への複写を行う場合、図３（１）に示すように、冊子原稿の見開き部分ＳＰ９１〜ＳＰ９３を不要ページＰＬも含めてそのまま読み取り、記録媒体ＲＭ９１〜ＲＭ９３へ複写していた。あるいは、図３（２）に示すように、不要ページＰＬを含む見開き部分ＳＰ９１及びＳＰ９２については、必要ページのみを読み取り、不要ページＰＬを含まない見開き部分ＳＰ９２の場合の記録媒体ＲＭ９５の半分のサイズの記録媒体ＲＭ９４及びＲＭ９６へ複写することにより、不要ページＰＬの複写を回避していた。
【０００３】
なお、特許文献１は、冊子原稿を両面伝送する場合に、不要ページの位置に応じて読取センサの移動方法を変化させる技術を開示している。
【０００４】
【特許文献１】特開平２００３−３２４５５４号公報
【発明の開示】
【発明が解決しようとする課題】
【０００５】
しかし、従来の技術では、不要ページ（より一般的には不要領域）の複写を回避しようとすると、記録媒体のサイズが不揃いになるという問題があった。
【０００６】
本発明は、この問題を解決するためになされたもので、記録媒体のサイズを揃えつつ、不要領域の複写を回避可能な画像形成装置を提供することを目的とする。
【課題を解決するための手段】
【０００７】
上記課題を解決するため、請求項１の発明は、原稿から記録媒体への複写を行う画像形成装置であって、前記原稿を読み取り、前記原稿の画像データを生成する読取手段と、前記画像データに基づく画像を前記記録媒体へ視認可能に記録する記録手段と、複写の対象とならない非複写領域を前記原稿に設定させるための設定手段とを備え、前記設定手段により非複写領域が設定された場合、前記記録媒体として、前記設定手段により非複写領域が設定されない場合と同じサイズのものを使用し、前記記録媒体に視認可能に記録される画像において、非複写領域に対応する領域をマスクするマスク処理を行う。
【０００８】
請求項２の発明は、請求項１に記載の画像形成装置において、前記原稿が冊子原稿であり、前記設定手段による非複写領域の設定が、冊子原稿の見開き部分の２ページのいずれかを複写の対象とならない非複写ページに設定することにより行われる。
【０００９】
請求項３の発明は、請求項１又は請求項２に記載の画像形成装置において、複写ごとに非複写領域を設定可能である。
【００１０】
請求項４の発明は、請求項１ないし請求項３のいずれかに記載の画像形成装置において、前記読取手段が生成する画像データにおいて、非複写領域に対応する領域を白データとすることにより前記マスク処理を行う。
【００１１】
請求項５の発明は、請求項１ないし請求項３のいずれかに記載の画像形成装置において、前記読取手段が生成した画像データを一時的に記憶する記憶手段をさらに備え、前記記憶手段に記憶された画像データにおいて、非複写領域に対応する部分を白データとすることにより前記マスク処理を行う。
【００１２】
請求項６の発明は、請求項１ないし請求項３のいずれかに記載の画像形成装置において、前記記録手段による記録において、非複写領域に対応する領域に画像を記録しないことにより前記マスク処理を行う。
【発明の効果】
【００１３】
請求項１ないし請求項６の発明によれば、非複写領域を原稿に設定しても記録媒体のサイズが変化しないので、記録媒体のサイズを揃えつつ不要領域の複写を回避可能である。
【００１４】
請求項２の発明によれば、冊子原稿の不要ページの複写を回避可能である。
【００１５】
請求項３の発明によれば、非複写領域を複写ごとに変更可能である。
【発明を実施するための最良の形態】
【００１６】
＜１．構成＞
図１は、本発明の実施形態に係る画像形成装置１０の構成を示すブロック図である。画像形成装置１０は、プリンタ機能、スキャナ機能、ファクシミリ機能及びコピー機能を有するデジタル複合機であり、コピー機能により原稿から記録媒体への複写を行うことができる。
【００１７】
図１に示すように、画像形成装置１０は、ＭＰＵ（マイクロプロセッサ；MicroProcessor Unit）１０１、ＲＯＭ１０２及びＲＡＭ１０３を備える。ＭＰＵ１０１、ＲＯＭ１０２及びＲＡＭ１０３によって実現されるコンピュータは、ＲＯＭ１０２に格納されたプログラムを実行することにより、画像形成装置１０の各構成を統括制御し、画像形成装置１０の各種機能を実現している。また、ページメモリ１０４は、記録媒体に記録すべき画像の基礎となる画像データの記憶に用いられる。
【００１８】
また、画像形成装置１０は、画像読取部１０９及び画像記録部１１０を備える。
【００１９】
画像読取部１０９は、ＣＣＤ（Charge Coupled Device）イメージセンサ等により原稿を読み取り、当該原稿の画像データを生成する。画像読取部１０９が生成した画像データは、ページメモリ１０４に一時的に記憶させられる。画像読取部１０９は、ＡＤＦ（Automatic Document Feeder）方式又はＦＢＳ（Flat Bed Scanner）方式により原稿を読み取ることができる。
【００２０】
画像記録部１１０は、電子写真方式により、画像データに基づく画像を、記録用紙等の記録媒体に視認可能に記録（プリント）して排出する。
【００２１】
画像形成装置１０には、ユーザインターフェースとして、操作部１１１及び表示部１１２が設けられる。操作部１１１は、メカニカルスイッチ等の操作者の操作を検出可能な部材を含んで構成され、表示部１１２は、液晶ディスプレイ等の表示用の部材を含んで構成される。なお、表示部１１２を液晶タッチパネルディスプレイ等で構成して、表示部１１２が操作部１１１の一部又は全部の機能を兼ね備えるようにしてもよい。
【００２２】
画像形成装置１０では、操作部１１１のスタートボタン１１１ａの押下に応答して、画像読取部１０９が、原稿を読み取り、生成した画像データをページメモリ１０４に記憶させ、画像記録部１１０が、ページメモリ１０４に記憶された画像データに基づく画像を記録媒体に視認可能に記録することにより、原稿から記録媒体への複写を行っている。
【００２３】
また、画像形成装置１０では、ＦＢＳ方式を用いて、複数枚の原稿を冊子状に綴じた冊子原稿（「ブック原稿」とも呼ばれる）の見開き部分から記録媒体への複写を行う場合、非複写ページ指定ボタン１１１ｂにより、冊子原稿の見開き部分の２ページ（典型的には、左ページ及び右ページ）のいずれかを指定して、複写の対象とならない非複写ページに設定することができる。すなわち、画像形成装置１０では、非複写ページ指定ボタン１１１ｂにより、複写の対象とならない非複写領域をページ単位で冊子原稿に設定することができる。
【００２４】
ネットワークインターフェースカード（ＮＩＣ）１０６は、例えば、イーサネット（登録商標）により、画像形成装置１０をネットワーク３０に接続する。
【００２５】
ＮＣＵ（網制御装置；Network Control Unit）１０７及びＭＯＤＥＭ（モデム；MOdulator DEModulator）１０８は、一般公衆電話網を経由した画像データの送受信に用いられる。ＮＣＵ１０７は、一般公衆電話網への接続を制御する。ＮＣＵ１０７は、通信先の電話番号に対応したダイヤル信号を送出する機能及び着信を検出する機能を備える。ＭＯＤＥＭ１０８は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ１０８は、これらに加えて、Ｖ．３４にしたがった送信データの変調及び受信データの復調を行う。ＭＯＤＥＭ１０８によって変調された送信データは、ＮＣＵ１０７を経由して一般公衆電話網へ送出される。また、ＭＯＤＥＭ１０８が復調を行う受信データは、ＮＣＵ１０７を経由して一般公衆電話網から与えられる。
【００２６】
＜２．冊子原稿の複写＞
図２は、本発明の実施形態における、ＭＰＵ１０１、ＲＯＭ１０２及びＲＡＭ１０３によって実現されるコンピュータによる制御による、冊子原稿から記録媒体への複写を説明する図である。
【００２７】
画像形成装置１０では、冊子原稿の見開き部分を画像読取部１０９にセットしてスタートボタン１１１ａを押下すると、セットされた見開き部分を記録媒体に複写することができるが、１回の複写ごとに非複写ページを設定することができる。例えば、図２には、見開き部分ＳＰ１の左ページが非複写ページＰＵに設定され、見開き部分ＳＰ３の右ページが非複写ページＰＵに設定されるとともに、見開き部分ＳＰ２には非複写ページＰＵが設定されていない場合が例示されている。
【００２８】
見開き部分ＳＰ１及びＳＰ３のように、非複写ページ指定ボタン１１１ｂにより非複写ページＰＵが設定された場合、複写用の記録媒体ＲＭ１及びＲＭ３として、非複写ページ指定ボタン１１１ｂにより非複写ページが設定されていない見開き部分ＳＰ２の複写用の記録媒体ＲＭ２と同じサイズの記録媒体が使用される。つまり、画像形成装置１０では、複写用の記録媒体のサイズは、非複写ページの設定の有無に依存しないようになっている。ここで、複写用の記録媒体ＲＭ１〜ＲＭ３のサイズは、操作部１１１を用いて操作者が指定するようにしてもよいし、読取部１０９が検出した冊子原稿の見開きサイズに基づいて決定するようにしてもよい。
【００２９】
そして、非複写ページＰＵが設定された見開き部分ＳＰ１及びＳＰ３を複写した記録媒体ＲＭ１及びＲＭ３に視認可能に記録される画像においては、非複写ページＰＵに対応する領域ＲＵを全白でマスクするマスク処理が行われる。このようなマスク処理は、例えば、ページメモリ１０４に記憶された画像データにおいて、非複写ページＰＵに対応する領域ＲＵを白データとする上書き処理を実行することにより実現される。もちろん、画像読取部１０９が冊子原稿の見開き部分ＳＰ１及びＳＰ３の全体を読み取りのために走査するときに、非複写ページＰＵに対応する領域ＲＵを走査中にＣＣＤイメージセンサから出力される信号を白色に対応する信号でマスクすることにより、画像読取部１０９が生成する画像データにおいて、非複写ページＰＵに対応する領域ＲＵを白データとしてもよい。あるいは、画像記録部１１０による記録において、非複写ページＰＵに対応する領域ＲＵに画像を形成しないようにしてもよい。
【００３０】
なお、冊子原稿の非複写ページＰＵの画像を反映しないような一様なグレー画像等の、実質的に全白と同様の機能を有する画像をマスクとして利用することも本発明は包含している。
【００３１】
このような画像形成装置１０によれば、冊子原稿の見開き部分に非複写ページを設定しても記録媒体のサイズが変化しないので、記録媒体のサイズを揃えつつ不要ページの複写を回避することができ、利便性の面で優れている。また、画像形成装置１０では、非複写ページを複写ごとに設定可能であるので、非複写ページを複写ごとに変更することもできる。
【００３２】
＜３．変形例＞
上述の実施形態では、非複写ページを操作者に直接指定させることにより非複写ページを設定したが、複写の対象となる複写ページを操作者に指定させて、指定された複写ページ以外のページを非複写ページに設定することも妨げられない。
【図面の簡単な説明】
【００３３】
【図１】本発明の実施形態に係る画像形成装置１０の構成を示すブロック図である。
【図２】本発明の実施形態における、冊子原稿から記録媒体群への複写を説明する図である。
【図３】従来の技術における、冊子原稿から記録媒体への複写を説明する図である。
【符号の説明】
【００３４】
１０  画像形成装置
１０４  ページメモリ
１０９  画像読取部
１１０  画像記録部
１１１  操作部
１１１ｂ  非複写ページ指定ボタン
ＰＬ  不要ページ
ＰＵ  非複写ページ
ＲＵ  領域
ＲＭ１〜ＲＭ３，ＲＭ９１〜ＲＭ９６  記録媒体
ＳＰ１〜ＳＰ３，ＳＰ９１〜ＳＰ９３  見開き部分
【図１】
2006332817.tif 000003
【図２】
2006332817.tif 000004
【図３】
2006332817.tif 000005